(57)【要約】【課題】光路分離のための隔壁での表面反射でゴーストやフレアを防止しつつ、光路の壁面での反射光や散乱光を低減することを課題とする。【解決手段】不要光の遮光位置に鏡面の斜面を備えたプリズム層を配置し、前記不要光を前記プリズム層の内部に入射させた後に、光吸収層に導くことによって、光路の壁面での反射光を低減することが可能である。【選択図】      図４
2004333565.tif 000002
【特許請求の範囲】
【請求項１】
遮光位置に鏡面の斜面を備えたプリズム層を配置し、光を前記プリズム層の内部に入射させた後に、光吸収層に導く壁面を有することを特徴とする光学装置。
【請求項２】
複数の光路間に配置され、光路間の光束の交わりを防止する光路分離部材を有する光学装置において、遮光位置に鏡面の斜面を備えたプリズム層を配置することによって、光を前記プリズム層の内部に入射させた後に、光吸収層に導くことを特徴とする光学装置。
【発明の詳細な説明】
【０００１】
【発明の属する技術分野】
本発明は光路中に部材を有する光学装置に関する。
【０００２】
【従来の技術】
特許文献１は一眼レフカメラの焦点検出ユニットに光路分離のために隔壁を設けた開示例である。焦点検出ユニット内に隔壁を設けると、複数の光路間の間隔を狭めることができるために、焦点検出視野の配置を密にできるという利点がある。
【０００３】
特許文献２は複眼撮像装置に光路分離のための隔壁を設けた開示例である。複眼撮像装置に隔壁を設けると、複眼の光軸間隔を任意に設定できる。また、複数の光路間の距離を小さくできるために、複眼によって生じる視差を小さくし、物体の距離に依存して発生するレジストレーションズレを抑えることができるという利点もある。
【０００４】
また、特許文献３では光路の側面に光線の反射角を制御するプリズム群を形成する技術が開示されている。
【０００５】
【特許文献１】
特開平１−２８２５１３
【特許文献２】
特開平７−１５４６６３
【特許文献３】
特開平９−２６９４０５
【０００６】
【発明が解決しようとする課題】
光学系の光路を外部の空間から分離するための壁面には、光を吸収する塗装を施したり、壁面を粗面にするといった光の反射を低く抑える、あるいは、反射光を散乱させたり方向を制御して目立たなくする工夫が成されている。しかしながら、塗装で反射を充分に抑えることは難しく、また、単に反射光の方向を変えるだけでは、新たなゴーストの原因となるなど、従来の手法ではゴーストの発生を高いレベルで抑制することができなかった。
【０００７】
特許文献３では光路の側面に光線の反射角を制御するプリズム群を形成する技術が、上述した特許文献１の技術では、光軸方向を長手方向とする形状の遮光部材の表面反射がセンサー方向に戻ってしまうためにゴーストやフレアを生じ易く、その結果、高い焦点検出精度を得ることが難しいといった問題があった。
【０００８】
また、上述した特許文献２の技術では、光路分離のための隔壁での表面反射でゴーストやフレアを生じ易く、その結果、高品位の画像を得ることが難しいといった問題があった。
【０００９】
本発明は、このような従来の問題点に着眼してなされたもので、その目的は、光路の壁面での反射光や散乱光を低減することである。
【００１０】
【課題を解決するための手段】
上記第１の目的を達成するために、請求項１に記載の発明は、不要光の遮光位置に鏡面の斜面を備えたプリズム層を配置し、前記不要光を前記プリズム層の内部に入射させた後に、光吸収層に導くことを特徴とする。
【００１１】
（作用）
請求項１乃至２に記載の発明によれば、光路の壁面での反射光を低減することが可能である。
【００１２】
【発明の実施の形態】
（第１の実施の形態）
図１から図９は本発明による第１の実施の形態を説明するための図である。第１の実施の形態では一眼レフカメラの焦点検出ユニットに用いられる光路の壁面構造を実施例としている。
【００１３】
図１は複数の焦点検出視野を持つ焦点検出ユニットの断面図、図２はその分解斜視図である。焦点検出ユニットは一眼レフカメラのミラーボックスの下部に収納され、主ミラーとサブミラーを介して焦点検出光束が導かれる。
【００１４】
図１および図２において、Ｌ２はサブミラーで折り返された不図示の対物レンズの光軸、１０は不図示の対物レンズの後方に位置し焦点検出光束を分離して不要な光束を除去するためのマスクの役割をする視野マスク、２０は一次結像面に形成される像を受光手段であるセンサーに導く分割フィールドレンズ、３０は第１焦点検出視野である中央焦点検出視野の光束と第２焦点検出視野である周辺焦点検出視野の光束を分離して各焦点検出視野に対応した有効光束以外の光束がセンサーに入射するのを防止するための遮光板である。
【００１５】
４０は焦点検出ユニットに入射した焦点検出光束をセンサーに向けて折り曲げるために表面で光を反射するミラー、５０は赤外光を除去するための赤外線カットフィルタ、６０は焦点検出光束を分離するための多孔絞り、７０はセンサー上に像を結像させるための対になった複数組のレンズを持つ再結像レンズである。
【００１６】
８０はセンサーを保持するためのセンサーホルダー、９０は焦点検出動作を行なうための像を検出する受光手段としてのセンサーであり、対になったラインセンサーが複数組形成されている。
【００１７】
１００は各焦点検出視野に対応する有効光束以外を出来るだけ除去するために、焦点検出を行なうに必要な有効光束のみが通過する開口を持つ遮光部材、１１０は焦点検出ユニットとカメラの焦点検出ユニット取付部の隙間をふさぐ遮光シート、１２０は焦点検出ユニットを構成する各構成部品を保持し、外部の光を遮光する本体ブロックである。
【００１８】
ここで、第１焦点検出視野である光軸上の領域を焦点検出する中央焦点検出視野は、視野マスクの開口部１４−１及び分割フィールドレンズのレンズ２１ー１を通過した後、多孔絞り６０の開口部６２−１を通過し、開口部６２−１に対応する再結像レンズのレンズ部により、センサー９０の受光素子としての受光部９１−１〜９１−４に導かれる光路で構成されている。
【００１９】
また、第２焦点検出視野である光軸外の領域を焦点検出する周辺焦点検出視野は、視野マスクの開口部１４−２及び分割フィールドレンズのレンズ２１−２を通過した後、多孔絞り６０の開口部６２−５を通過し、開口部６２−５に対応する再結像レンズのレンズ部により、センサー９０の受光部９１−１１〜９１−１２に導かれる光路で構成されている。
【００２０】
上記構成において、本体ブロック１２０には、各種焦点検出ユニット構成部材の位置決めを行なう各種位置決め部、及び、固定するための固定部が備えられている先ず、赤外線カットフィルタ５０は、図２の右方より本体ブロック１２０に位置決め固定される。
【００２１】
遮光板３０は、遮光板位置決め固定部３１と本体ブロック１２０の遮光板位置決め固定部１２３により、本体ブロック１２０の内部に位置決め後接着固定される。
【００２２】
また、遮光板３０は、分割フィールドレンズ２０を通過した各焦点検出視野の有効光束以外の不要な光束が、他の焦点検出視野のセンサーに入射することを防止する壁面３２及び壁面３３を持ち、壁面３２と壁面３３の間には測光光束を通過させるための開口部３４が形成されている。遮光板３０により中央焦点検出視野の光束と周辺焦点検出視野の光束の間隔を狭めることができ、焦点検出視野の配置を密にすることが可能になっている。
【００２３】
分割フィールドレンズ２０は、位置調整が行なわれた後、本体ブロック１２０の分割フィールドレンズ固定部１２４により、本体ブロック１２０に接着固定される。
【００２４】
視野マスク１０は一対の視野マスク固定用弾性爪部１０−１を、本体ブロック１２０の一対の視野マスク固定用穴部１２７に係合させて、本体ブロック１２０に固定される。
【００２５】
遮光シート１１０は視野マスク１０と本体ブロック１２０に挟まれることにより本体ブロック１２０に固定されている。また、遮光シート１１０の背面遮光部１１２は、本体ブロック１２０の遮光シート背面遮光部固定部１２９により固定されている。
【００２６】
ミラー４０は、図２の右方より本体ブロック１２０に位置決め固定されている。このミラー４０の表面には、各焦点検出視野に対する不要な光束を遮光するためのマスク形状を持つ遮光マスク部４１が付加されており、その結果、焦点検出光束をセンサーに対して折り曲げる際に、遮光板３０とミラー４０の隙間を通過する不要な光束を遮光している。
【００２７】
再結像レンズ７０は、一対の嵌合穴により位置決めされ、本体ブロック１２０に接着固定されている。
【００２８】
多孔絞り６０は、位置決め部６１により、再結像レンズ７０に位置決めされている。そして、多孔絞り６０は、再結像レンズ７０と本体ブロック１２０に挟まれて、本体ブロック１２０に保持されている。
【００２９】
センサーホルダー８０は、特開平３−２３５０６号公報に示すように、センサー９０の製造過程における誤差により生じるセンサーの傾きを調整する。
【００３０】
このセンサーホルダー８０は、位置決め調整するための一対の同一中心軸を持つ半円柱形状のセンサーホルダー嵌合半円柱軸８２と本体ブロック１２０の一対のセンサーホルダー嵌合軸受溝部１３０により、センサーホルダー嵌合半円柱軸８２を中心として、本体ブロック１２０に揺動可能に位置決めされている。そして、センサー傾き調整など各種調整が行なわれた後、本体ブロック１２０に接着固定されている。
【００３１】
センサー９０は、センサーホルダー８０に対して、センサー接着面内での移動は自由に行なうことが可能である。そして、センサー９０は、センサーホルダー８０と共にセンサー傾き調整などの各種調整が行なわれた後に、センサーホルダー８０に接着固定されている。
【００３２】
遮光部材１００は、センサーホルダー８０に接着固定されている。
【００３３】
図３は、焦点検出ユニットの光路図の一部を表す図である。図３は一眼レフカメラの撮影光軸を含む断面を示しており、ミラー４０による光路の折り曲げを展開してある。また、図には、一部のゴースト光束のみが図示されており、有効光束は図示されていない。
【００３４】
本実施例における焦点検出ユニットでは、焦点検出ユニットに入射する光束が、図２に示した視野マスク１０を通過し、分割フィールドレンズ２０を通過した後に、赤外線カットフィルタ５０を通過し、多孔絞り６０を通過し、再結像レンズ７０を通過し、センサー９０に入射する事により焦点検出が行なわれる。
【００３５】
図３において、ゴースト光束１６０、１６１は、壁面３２で反射され、ゴースト光束１６２は、本体ブロック１２０の内壁により反射されている。ゴースト光束１６２は不図示の対物レンズや一眼レフカメラのミラーボックス内でほとんどの部分をカットできるために、比較的強度が低く大きな問題にはならない。一方、ゴースト光束１６０、１６１は対物レンズ側でカットするのが難しく、焦点検出精度を劣化させないためには、壁面３２での反射を如何に低く抑えるかが極めて重要である。
【００３６】
図４は壁面３２の構造を表す詳細図である。壁面３２はプリズム層３２ａと光吸収層３２ｂの２層よりなっており、プリズム層側の反射光を効果的に低減する。プリズム層３２ａは鏡面の斜面を備えた多数の三角プリズムからなり、そのピッチは１０μｍから３００μｍ程度、頂角は６０度から１３０度が好ましく、図４に示す構造では、頂角を９０度としてある。ポリカーボネート、アクリル、ポリエステル、ＰＥＴなどの透明樹脂で作製する。あるいは、プリズム層と平板の基材を異なる材質で作製し接合した複合体であっても良い。プリズム面を何れも鏡面としているのは、入射した光を散乱させずに透過、もしくは反射させるためである。
【００３７】
遮光板３０の２つの壁面３２と３３は同一の構造で、プリズム層は壁面３２と３３の対向する側にのみそれぞれ形成されている。これは、壁面３２と３３のプリズム層を形成していない面については、反射光があってもセンサーの受光部に入射せず、問題にならないためである。
【００３８】
一方の光吸収層３２ｂは、樹種などの透明な媒質内に充分な量の光吸収体が分散している構造を有し、印刷や、塗装、あるいは樹脂層の接合といった手法で、プリズム層３２ａの裏面に付加される。光吸収体は例えばカーボン粒で構成される。プリズム層が２つの樹脂層の複合体である場合には、この光吸収層がプリズム層を支える基材であっても良い。
【００３９】
プリズム層３２ａと光吸収層３２ｂの間には空気層が無く、屈折率は両者ともに１．５程度であって、ほぼ等しい。したがって、プリズム層３２ａへ入射した光は、プリズム層３２ａと光吸収層３２ｂの界面でほとんど反射することなく光吸収層３２ｂに導かれ、光吸収層３２ｂ内で減衰し、光のエネルギーは熱に変換される。
【００４０】
図４に示した光線１と５は、先に図３に示したゴースト光束１６０、１６１のうちの幾つかを抜き出したものである。光線１はプリズム層３２ａの光の入射方向に対向した鏡面３から入射して、樹脂と空気との屈折率差が作用して屈折した後、光吸収層３２ｂに導かれる。また、光線５は同様に光の入射方向に対向した鏡面３から入射して、その界面で屈折した後、光の入射方向に対向していない鏡面５において空気との屈折率差の作用で全反射し、光吸収層３２ｂに導かれる。
【００４１】
図９は、空気と樹脂の界面で起こるフレネル反射の反射率を入射角の関数として表したグラフである。ＲｐはＰ偏光の反射率、ＲｓはＳ変更の反射率を表している。入射角がゼロ度、すなわち垂直入射の場合には、およそ４％程度の反射率であるが、８０度の入射角では、Ｐ偏光が３０％、Ｓ偏光が５０％ほどに増加し、平均で４０％程度の反射率となる。
【００４２】
前述のような光線の挙動の中で、屈折率差によるフレネル反射が生じるのは鏡面３に光線が入射する時だけであって、他の界面では光路が分岐することはない。斜面３への入射角は０度から４０度程度と小さいので、その反射率は数％程度であることが図９より分かる。しかも、鏡面３での表面反射光２は、図４に示すように再結像レンズ７０の方向には向かわないので、これらがゴーストやフレアを発生させることもない。したがって、精度の高い焦点検出結果を得ることができる。
【００４３】
ただし、本実施例の焦点検出ユニットのように、光路を折り曲げるためのミラー４０が配置されている場合には、鏡面３での表面反射光がミラー４０を介さずに、直接、再結像レンズ７０に向かうことが無いように設定する必要がある。図１に矢印Ａで示すように、ミラーで折り返された光軸と元の光軸のなすおよそ２等分する方向に稜線を沿わせることで、反射光が再結像レンズ７０に向かわせないようにできる。
【００４４】
また、図５に矢印Ｂで示すように、点Ｐ１を中心とした同心円状に稜線を形成しても良い。このような構成にすると、金型の製作や樹脂の成形にフレネルレンズの製造手法を用いることができる。なお、図５の焦点検出ユニットは、遮光板３０の稜線の方向以外は図１に示した焦点検出ユニットと同一である。
【００４５】
以上はプリズム層３２ａと光吸収層３２ｂを別々に形成した例を示したが、プリズム層３２ａの内部に光吸収体を含有させれば、その作用によってプリズム自身で光を吸収させることも出来る。図６はこの構造を表す図である。多数の鏡面の斜面６、７を備えたプリズム層３２ｃは、ポリカーボネート、アクリル、ポリエステル、ＰＥＴなどの透明樹脂にカーボン粒などの光吸収体を混ぜて成形する。光線８はプリズム層３２ｃの光の入射方向に対向した鏡面６から入射して、樹脂と空気との屈折率差が作用して屈折した後、プリズム層３２ｃの内部で吸収される。また、光線９は同様に光の入射方向に対向した鏡面６から入射して、その界面で屈折した後、減衰しながら光の入射方向に対向していない鏡面７において空気との屈折率差の作用で全反射し、プリズム層３２ｃの内部で吸収される。
【００４６】
また、プリズム層を構成するプリズムの形状は、図７に示すように、斜面１１と斜面１２が異なる傾きを持っていても良い。斜面１２に分割フィールドレンズ２０からの光線が直接当たると、斜面１２への入射角がおおきくなるために、図９に示したフレネル反射の特性からかなり強い反射が生じる。したがって、ここで重要なことは、このような反射光を生じさせない角度を設定することと、反射光が生じたとしても、斜面１２から再びプリズム層３２ｄの内部に取り込んでゴースト光としないことである。
【００４７】
図８は、このような観点をさらに進めて、プリズム層３２ｅの山の先端部分はゴースト光を発生させないために鋭いエッジとし、逆に谷の部分１３には丸みを持たせたものである。樹脂の流動抵抗の低下による斜面の面精度の向上が見込める。
【００４８】
このようにプリズムの形状は適宜決まるものであり種々の変形があり得る、プリズム層は異なる形状のプリズムの集合体であっても良い。
【００４９】
以上のように、焦点検出ユニット内に本発明によるプリズム層を用いた隔壁を設けると、ゴーストやフレアの発生を抑えて焦点検出精度を落とさずに焦点検出視野の配置を密にすることができる。
【００５０】
（第２の実施の形態）
図１０から図１４は本発明の第２の実施の形態を説明するための図である。第２の実施の形態では複眼撮像装置に用いられる光路の壁面構造を実施例としている。
【００５１】
図１０（Ａ）は、複眼撮像装置の模式的な構成を示す上面図である。図１０（Ｂ）は、図１０（Ａ）の１Ｂ−１Ｂ線における模式的断面図である。図１０（Ｃ）は、図１０（Ａ）の半導体チップ５０３の上面図である。図２０１（Ｄ）は、図２０１（Ｂ）の撮像モジュールを外部の電気回路へ接続した状態を示した模式的断面図である。図１４は撮像モジュールの分解斜視図である。
【００５２】
図１０（Ａ）から図１０（Ｄ）において、５６０は赤外線カットフィルタ、５０１は第１の基板として光透過性部材、５０６は光透過性部材５０１の上面に赤外線カットフィルタ５６０を介して遮光性部材を例えばオフセット印刷等で形成した絞り遮光層、５１２は赤外線カットフィルタ５６０、絞り遮光層５０６及び凸レンズ６００ａ、６００ｃと図示されていない凸レンズ６００ｂ及び凸レンズ６００ｄで構成される複眼レンズを有する複眼光学素子である。
【００５３】
なお、本実施形態では４つの凸レンズを有する複眼レンズを備えた複眼光学素子が形成されているが、レンズの個数は適宜決まるものであり本実施形態に限定されない。
【００５４】
また、８１０ａ〜８１０ｄは絞り遮光層５０６に形成された絞り開口、なお、各レンズ６００ａ〜６００ｄは、それぞれに絞り開口８１０ａ〜８１０ｄとそれぞれ光軸が同軸であるとより好適である。
【００５５】
さらに、５０３は半導体チップである。５２２は複眼光学素子５１２と半導体チップ５０３との間の距離を規定するスペーサ、５０９は複眼光学素子５１２と半導体チップ５０３とをスペーサ５２２を介して接着させる接着材である。
【００５６】
また、５１３はＣＭＯＳ型撮像素子やＣＣＤ撮像素子などの受光素子や発光素子からの信号を外部へ出力するための外部端子部としての電極パッド、５０８は４つの凸レンズの光学的なクロストークを防ぐために複眼光学素子５１２及びスペーサ５２２及び半導体チップ５０３で囲まれた空間に形成された隔壁である。隔壁５０８により、複眼光学素子５１２による複数の光路間の距離を小さくできるために、複眼によって生じる視差を小さくし、物体の距離に依存して発生するレジストレーションズレを抑えることができている。
【００５７】
さらに、５１６は各受光素子の集光効率を高めるマイクロレンズ、８２０ａ〜８２０ｄは半導体チップ５０３に二次元に複数形成された受光素子配列、５１４は各受光素子配列からの出力信号をデジタル信号に変換するＡ／Ｄ変換回路、５１５は各受光素子配列の光電変換動作のタイミング信号を生成するタイミングジェネレータである。なお、８２２ａ及び８２２ｂは受光素子を示している。
【００５８】
さらに、５１７は外部の電気回路基板である多層プリント基板、５２０は図示されていない電極パッド５１３と多層プリント基板５１７上の電極パッドとを電気的に接続するためのボンディングワイヤ、５２１は電極パッド５１３とボンディングワイヤ５２０の周囲を封止するための熱或いは紫外線硬化型樹脂である。なお、本実施形態においては熱紫外線硬化型樹脂であるエポキシ樹脂を用いている。
【００５９】
光透過性部材５０１には、連続面を用いる通常の光学系に比べて特に像面湾曲を良好に補正可能な樹脂製の球面フレネル凸レンズ又は円形状の軸対称性非球面フレネル凸レンズなどの凸レンズ６００ａ〜６００ｄがレプリカ製法、インジェクション成形、コンプレッション成形等の手法で形成されている。
【００６０】
また、カラー画像を取得したい場合は各凸レンズ６００ａ〜６００ｄに対して、緑色透過（Ｇ）フィルタ、赤色透過（Ｒ）フィルタ、青色透過（Ｂ）フィルタを配する。
【００６１】
半導体チップ５０３には、例えば低輝度の物体でも容易に撮像し得るように受光素子に光を集めるマイクロレンズ５１６と、凸レンズ６００ａの通過光と凸レンズ６００ｃの通過光との光学的なクロストークの発生を防止する隔壁５０８とが形成されている。実際には、各凸レンズ等の間に隔壁が設けられている。
【００６２】
図１０（Ｄ）には、外部の電気回路基板である多層プリント基板５１７と、多層プリント基板５１７側と電極パッド５１３とを電気的に接続するためのボンディングワイヤ５２０と、電極パッド５１３とボンディングワイヤ５２０の周囲を封止するための熱紫外線硬化型樹脂５２１とを示している。接着材５０９と熱紫外線硬化型樹脂５２１とによる封止を行うことで、ごみの進入や空気中の湿度の侵入を防ぐことができる。
【００６３】
ここで、図１１及び図１２を用いて撮像モジュールの受光領域８２０ａ〜８２０ｄで変換された電気信号の処理のメカニズムを説明する。
【００６４】
図１１は撮像モジュールに搭載された複眼レンズの物体像と撮像領域との位置関係を示した図である。
【００６５】
図１１において、３２０ａ、３２０ｂ、３２０ｃ及び３２０ｄは半導体チップ５０３の４つの受光素子配列である。ここでは説明を簡単にするため各受光素子配列３２０ａ、３２０ｂ、３２０ｃ及び３２０ｄの各々は画素を８×６個配列しているものとする。
【００６６】
なお、画素数は適宜決まり得るものであり、本実施形態に限定されない。また、受光素子配列３２０ａと３２０ｄはＧ画像信号を、受光素子配列３２０ｂはＲ画像信号を、受光素子配列３２０ｃはＢ画像信号を出力する。受光素子配列３２０ａと３２０ｄ内の画素は白抜きの矩形で、受光素子配列３２０ｂ内の画素はハッチングを付した矩形で、受光素子配列３２０ｃ内の画素は黒い矩形で示している。
【００６７】
３５１ａ、３５１ｂ、３５１ｃ及び３５１ｄは物体像である。画素ずらしのために、物体像３５１、３５２、３５３及び３５４の中心３６０ａ、３６０ｂ、３６０ｃ及び３６０ｄはそれぞれ受光素子配列３２０ａ、３２０ｂ、３２０ｃ及び３２０ｄの中心から受光素子配列全体の中心３２０ｅの方向に１／４画素分オフセットさせている。
【００６８】
この結果、被写体側の所定距離にある平面上に各受光素子配列を逆投影すると、画素ずらしの関係になる。
【００６９】
図１２は図１１の撮像領域を物体上に逆投影したときの画素の位置関係を示した図である。被写体側においても受光素子配列３２０ａと３２０ｄ内の画素の逆投影像は白抜きの矩形３６２ａ、受光素子配列３２０ｂ内の画素の逆投影像はハッチングを付した矩形３６２ｂで、受光素子配列３２０ｃ内の画素の逆投影像は黒く塗りつぶした矩形３６２ｃで示している。
【００７０】
物体像の中心３６０ａ、３６０ｂ、３６０ｃ及び３６０ｄの逆投影像は点３６１として一つに重なり、受光素子配列３２０ａ、３２０ｂ、３２０ｃ及び３２０ｄの各画素はその中心が重なり合わないように逆投影される。白抜きの矩形はＧ画像信号を、ハッチングを付した矩形はＲ画像信号を、黒く塗りつぶした矩形はＲ画像信号を出力するので、この結果、被写体上ではベイヤー配列のカラーフィルターを持った撮像素子と同等のサンプリングを行なうこととなる。
【００７１】
単一の撮影レンズを用いる撮像系との比較において、個体撮像素子の画素ピッチを固定して考えると、半導体チップ５０３上に２×２画素を一組としてＲＧＢＧカラーフィルターを形成したベイヤー配列方式に比較し、この方式は物体像の大きさが１／√４になる。これに伴って撮影レンズの焦点距離はおよそ１／√４＝１／２にまで短くなる。したがって、撮像装置の薄型化に対して極めて好適である。
【００７２】
次に、隔壁の機能と構造について詳述する。図１３は、隔壁５０８の詳細図である。
【００７３】
凸レンズ６００ａ〜６００ｄを射出して各々に対応する受光素子配列８２０ａ〜８２０ｄに入射せず、隣接する受光素子配列に達する光束は、隔壁５０８によって遮る必要がある。例えば、凸レンズ６００ａを射出して受光素子配列８２０ｃに達する光束や、凸レンズ６００ｃを射出して受光素子配列８２０ａに達する光束である。そこで、複眼撮像装置では壁面の両側にプリズムを用いた反射防止構造を形成してある。
【００７４】
図１３において、２０４は凸レンズ６００ａを射出した光線、２０５は凸レンズ６００ｃを射出した光線である。仮に、反射防止構造が無いと、２０６や２０７で示す反射光が生じ、受光素子配列８２０ａや受光素子配列８２０ｃに戻ってゴーストやフレアとなる。隔壁５０８はこういった反射光を効果的に取り除く。
【００７５】
図において２０１と２０２はプリズム層、２０３は光吸収層である。第１の実施の形態と同様に、プリズム層２０１、２０２はポリカーボネート、アクリル、ポリエステル、ＰＥＴなどの透明樹脂で作製する。あるいは、プリズム層と平板の基材を異なる材質で作製し接合した複合体であっても良い。
【００７６】
プリズム層は、光の入射方向に対向した鏡面２０８、２０９と、光の入射方向に対向していない鏡面２１０、２１１を有する。プリズム面を何れも鏡面としているのは、入射した光りを散乱させずに透過、もしくは反射させるためである。
【００７７】
一方、光吸収層２０３は、樹種などの透明な媒質内に充分な量の光吸収体が分散している構造を有し、印刷や、塗装、あるいは樹脂層の接合といった手法で、プリズム層２０１とプリズム層２０２の間に付加される。プリズム層が２つの樹脂層の複合体である場合には、この光吸収層がプリズム層を支える基材であっても良い。また、光吸収層２０３はプリズム層２０１とプリズム層２０２を一体化するための接着層であっても良い。
【００７８】
プリズム層２０１、２０２と光吸収層２０３の間には空気層が無く、屈折率は三者ともに１．５程度であって、ほぼ等しい。したがって、プリズム層２０１、２０２へ入射した光は、プリズム層２０１、２０２と光吸収層２０３の界面でほとんど反射することなく光吸収層２０３に導かれ、光吸収層２０３内で減衰し、光のエネルギーは熱に変換される。したがって、ゴーストやフレアの発生が無く、品位の高い画像を得ることができる。
【００７９】
（第３の実施の形態）
第３の実施の形態ではレンズユニットの鏡筒に用いられる光路の壁面構造を実施例としている。レンズユニットはカメラ、顕微鏡、望遠鏡、スキャナなどの種々の光学機器に用いられる。図１５は本発明による第３の実施の形態を説明するためのレンズユニットの鏡筒の断面図である。
【００８０】
レンズユニットの鏡筒では円筒形の壁面を有し、壁面にプリズムを用いた反射防止構造を形成してある。図において、３０１は結像レンズ、Ｌ１は結像レンズ３０１の光軸、３０２は光路を外部の空間から分離する壁面である。
【００８１】
結像レンズ３０１を射出して、壁面に当たった光束が反射するとゴーストやフレアとなって、形成された物体像に重畳し、物体像のコントラストを低下させる。壁面３０２はこういった反射光を効果的に取り除く。
【００８２】
図において３０３はプリズム層、３０４は光吸収層である。第１の実施の形態と同様に、プリズム層３０３はポリカーボネート、アクリル、ポリエステル、ＰＥＴなどの透明樹脂で作製する。あるいは、プリズム層と平板の基材を異なる材質で作製し接合した複合体であっても良い。
【００８３】
プリズム層は、光の入射方向に対向した鏡面と、光の入射方向に対向していない鏡面を有する。プリズム面を何れも鏡面としているのは、入射した光りを散乱させずに透過、もしくは反射させるためである。
【００８４】
光吸収層２０３は、樹種などの透明な媒質内に充分な量の光吸収体が分散している構造を有し、印刷や、塗装、あるいは樹脂層の接合といった手法で、プリズム層３０３に付加される。プリズム層が２つの樹脂層の複合体である場合には、この光吸収層がプリズム層を支える基材であっても良い。
【００８５】
図１６（Ａ）、（Ｂ）、（Ｃ）は壁面の組み立て過程を説明するための図である。
【００８６】
壁面３０２は円筒形であるが、平板状の素材から組み立てる。図１６（Ａ）にその平面図を、図１６（Ｂ）にその斜視図を示すように、光路の壁面となる平板状のプリズムシート３０２’を、図１６（Ｃ）の３０２”のように丸めて、最終的には閉じた円筒にする。
【００８７】
プリズム層３０３と光吸収層３０４は共に樹脂でできているので、それらの可撓性を利用することで、このような成形が可能である。
【００８８】
プリズム層３０３と光吸収層３０４の間には空気層が無く、屈折率は両者ともに１．５程度であって、ほぼ等しい。したがって、プリズム層３０３へ入射した光は、プリズム層３０３と光吸収層３０４の界面でほとんど反射することなく光吸収層３０４に導かれ、光吸収層２０３内で減衰し、光のエネルギーは熱に変換される。したがって、ゴーストやフレアの発生が無く、光学系本来のＭＴＦ特性を有したコントラストの高い物体像を得ることができる。
【００８９】
【発明の効果】
以上説明したように、本発明によれば、光路の壁面での反射光を低減することが可能となった。その結果、物体像にゴーストやフレアを生じず、物体の情報を正確に表した物体像とすることができた。
【００９０】
結像系においては、光学系本来のＭＴＦ特性を得ることができ、焦点検出系では、高い焦点検出精度を得ることができ、さらに、複眼撮像装置では、高品位の画像を得ることができるようになった。
【図面の簡単な説明】
【図１】複数の焦点検出視野を持つ焦点検出ユニットの断面図である。
【図２】図１に示した焦点検出ユニットの分解斜視図である。
【図３】焦点検出ユニットの光路図の一部を表す図である。
【図４】壁面３２の構造を表す詳細図である。
【図５】壁面３２の構造の変形例を示す焦点検出ユニットの断面図である。
【図６】壁面の構造の変形例を示す図である。
【図７】壁面の構造の変形例を示す図である。
【図８】壁面の構造の変形例を示す図である。
【図９】空気と樹脂の界面で起こるフレネル反射の反射率を入射角の関数として表したグラフである。
【図１０】（Ａ）は複眼撮像装置の模式的な構成を示す上面図、（Ｂ）は図１０（Ａ）の１Ｂ−１Ｂ線における模式的断面図、（Ｃ）は図１０（Ａ）の半導体チップ５０３の上面図、（Ｄ）は図１０（Ｂ）の撮像モジュールを外部の電気回路へ接続した状態を示した模式的断面図である。
【図１１】複眼レンズの物体像と撮像領域との位置関係を示した図である。
【図１２】図１１の撮像領域を物体上に逆投影したときの画素の位置関係を示した図である。
【図１３】隔壁５０８の詳細図である。
【図１４】撮像モジュールの分解斜視図である。
【図１５】レンズユニットの断面図である。
【図１６】（Ａ）、（Ｂ）、（Ｃ）は壁面の組み立て過程を説明するための図である。
【符号の説明】
３０  遮光板
３２ａ、３２ｄ、３２ｅ  プリズム層
３２ｂ  光吸収層
３２ｃ  プリズム層
３２、３３  壁面
５０８  隔壁
２０１、２０２  プリズム層
２０３  光吸収層
３０２  プリズムシート
３０３  プリズム層
３０４  光吸収層
【図１】
2004333565.tif 000003
【図２】
2004333565.tif 000004
【図３】
2004333565.tif 000005
【図４】
2004333565.tif 000006
【図５】
2004333565.tif 000007
【図６】
2004333565.tif 000008
【図７】
2004333565.tif 000009
【図８】
2004333565.tif 000010
【図９】
2004333565.tif 000011
【図１０】
2004333565.tif 000012
【図１１】
2004333565.tif 000013
【図１２】
2004333565.tif 000014
【図１３】
2004333565.tif 000015
【図１４】
2004333565.tif 000016
【図１５】
2004333565.tif 000017
【図１６】
2004333565.tif 000018